(57)【要約】    【課題】  子供などによる引っかけた事故を防ぐ。    【解決手段】  本体部２１は先端の半球状の磁石部２３とピン２５を有している。リング３１は磁石にくっつく素材で構成されている。壁に本体部２１のピン２５をさして固定する。リング３１をひねってチェーン５に通す。この状態でリング３１は重力によりループ状のチェーン５の最下部にリング３１が移動する。リング３１を本体部２１に触れさせると磁力により両者がくっつく。これにより、チェーン５を本体部２１の位置にて折れ曲げられ、余っている部分の位置が本体部２１に近づく。【選択図】  図１
2016048001.tif 000002
【特許請求の範囲】
【請求項１】
１枚の幕または複数の遮光片で構成された遮光部、
正転または反転することにより、前記遮光部を、遮光状態、遮光解放状態、またはその中間状態に切り替える操作軸、
前記操作軸を回転させる鉛直方向に垂れ下がったループ状の操作紐、
を備えた操作紐駆動式遮光部調整器具であって、さらに、
前記操作紐に移動自在に取り付けられる第１部材、
前記第１部材と磁力により端部を有しており、壁へ固定可能な第２部材、
を備え、
前記第１部材、または第２部材の端部について、一方は、磁石にくっつく素材で構成されており、他方は磁石で構成されていること、
を特徴とする操作紐駆動式遮光部調整器具。
【請求項２】
操作紐駆動式遮光部調整器具の操作紐による事故を防止する事故防止器具であって、
前記操作紐に移動自在に取り付けられる第１部材、
前記第１部材と磁力により端部を有しており、壁へ固定可能な第２部材、
を備え、
前記第１部材または第２部材の端部は、一方は、磁石にくっつく素材で構成されており、他方は磁石を有すること、
を備えた事故防止器具。
【請求項３】
請求項２の事故防止器具において、
前記第１部材は、端部が開放可能な鉄のリングであり、
前記端部は、半球形状であること、
を特徴とするもの。
【請求項４】
１枚の幕または複数の遮光片で構成された遮光部、
正転または反転することにより、前記遮光部を、遮光状態、遮光解放状態、またはその中間状態に切り替える操作軸、
前記操作軸を回転させる鉛直方向に垂れ下がったループ状の操作紐、
を備えた操作紐駆動式遮光部調整器具であって、さらに、
前記操作紐は、磁石にくっつく部材で構成されたチェーンであり、
磁石を含む端部を有しており、壁へ固定可能な第２部材を備えたこと、
を特徴とする操作紐駆動式遮光部調整器具。
【発明の詳細な説明】
【技術分野】
【０００１】
この発明は、操作紐による事故を防止する操作紐駆動式遮光部調整器具に関する。  
【背景技術】
【０００２】
特許文献１には、事故防止のために負荷がかかった場合には外れるようにしたチェーン式ロールスクリーンが開示されている。
【先行技術文献】
【特許文献】
【０００３】
【特許文献１】特開2003-184456号公報
【発明の概要】
【発明が解決しようとする課題】
【０００４】
しかしながら、特許文献１においては、チェーン自体を特別の構造とする必要があった。
【０００５】
本発明は、上記のような問題点を解決して、簡単かつ安全な操作紐駆動式遮光部調整器具を提供することを目的とする。
【課題を解決するための手段】
【０００６】
(1)この発明に係る操作紐駆動式遮光部調整器具は、１枚の幕または複数の遮光片で構成された遮光部、正転または反転することにより、前記遮光部を、遮光状態、遮光解放状態、またはその中間状態に切り替える操作軸、前記操作軸を回転させる鉛直方向に垂れ下がったループ状の操作紐、を備えた操作紐駆動式遮光部調整器具であって、さらに、前記操作紐に移動自在に取り付けられる第１部材、端部を有しており壁へ固定可能な第２部材、を備え、前記第１部材、または第２部材の端部について、一方は、磁石にくっつく素材で構成されており、他方は磁石で構成されていること、を特徴とする。
【０００７】
したがって、前記第１部材と前記第２部材を磁力でくっつけることができる。これにより前記ループ上の操作紐による事故を防ぐことができる。
【０００８】
(2)この発明に係る事故防止器具は、前記操作紐に移動自在に取り付けられる第１部材、端部を有しており壁へ固定可能な第２部材、を備え、前記第１部材、または第２部材の端部について、一方は、磁石にくっつく素材で構成されており、他方は磁石で構成されている。
【０００９】
したがって、前記第１部材と前記第２部材を磁力でくっつけることができ、前記操作紐のループの端を前記第２部材を取り付けている壁部に位置させることができる。これにより前記ループ状の操作紐による事故を防ぐことができる。
【００１０】
(3)この発明に係る事故防止器具においては、前記第１部材は、端部が開放可能な鉄のリングであり、前記端部は半球形状である。したがって、前記リングを前記第２部材に簡単にくっつけることができる。
【００１１】
(4)この発明に係る操作紐駆動式遮光部調整器具は、１枚の幕または複数の遮光片で構成された遮光部、正転または反転することにより、前記遮光部を、遮光状態、遮光解放状態、またはその中間状態に切り替える操作軸、前記操作軸を回転させる鉛直方向に垂れ下がったループ状の操作紐、を備えた操作紐駆動式遮光部調整器具であって、さらに、前記操作紐は、磁石にくっつく部材で構成されたチェーンであり、磁石を有しており壁へ固定可能な第２部材を備えている。
【００１２】
したがって、前記第１部材と前記第２部材を磁力でくっつけることができる。これにより前記ループ状の操作紐による事故を防ぐことができる。
【００１３】
本明細書において、「１枚の幕または複数の遮光片で構成された」とは、ロールスクリーンのような幕である場合、ブラインド、すだれのような複数の遮光片で構成されている場合を含む。「他方は磁石で構成されている」とは、その全部又は一部が磁石で構成されている場合を含む概念である。「遮光」とは完全に光を遮る場合だけでなく、少しでも光の透過量が減る場合を含む。
【図面の簡単な説明】
【００１４】
【図１】本装置にかかるロールスクリーン１の使用状態を示す図である。
【図２】本体２１とリング３１とを示す平面図である。
【発明を実施するための形態】
【００１５】
本発明にかかる操作紐駆動式遮光部調整器具であるロールスクリーン１を図１に示す。ロールスクリーン１は、従来のロールスクリーン部２および事故防止器具１０を備えている。
【００１６】
ロールスクリーン２は、従来のロールスクリーンと同様に、遮光部である生地３、操作軸４、および操作紐であるチェーン５を有する。生地３は１枚の幕で構成されている。操作軸４は、正転または反転することにより、生地３を、遮光状態、遮光解放状態、またはその中間状態に切り替える。本実施形態においては、図１に示すように、操作軸４が反時計方向に回転すると生地３が巻き上げられて遮光解放状態となり、操作軸４が時計方向に回転すると生地３が巻き下がり、遮光解放状態となる。操作軸４の回転を中途で止めると生地３はその中間状態で保持される。チェーン５はループ状の紐が鉛直方向に垂れ下がっており、いずれかを下方に引っ張ることにより、図示しない回転機構により操作軸４を正転または反転させる。本実施形態においては、チェーン５を矢印α方向に引っ張ると生地３の端部３aが上昇し、チェーン５を矢印α方向に引っ張ると生地３の端部３aが下降する。
【００１７】
事故防止器具１０について図２を用いて説明する。事故防止器具１０は、本体部２１およびリング３１を備えている。本体部２１は先端の半球状の磁石部２３とピン２５を有している。リング３１は開口部３１Kを有しており、磁石にくっつく素材（強磁性体）で構成されている。本実施形態においては、リング３１の材質を鉄で構成したが、これに限定されない。
【００１８】
事故防止器具１０の使用方法について図１を用いて説明する。壁に本体部２１のピン２５をさして、本体部２１を壁に固定する。リング３１をひねることにより開口部３１Kを拡大して、ループ状のチェーン５に通し、その後リング３１をひねり戻し、開口部３１Kを閉じる。これにより、リング３１の中にチェーン５が通った状態となる。リング３１の内径はチェーン５よりも大きいので、この状態でリング３１を外すと、重力によりループ状のチェーン５の最下部にリング３１が移動する。リング３１を把持して、本体部２１に触れさせると磁力により両者がくっつく。これにより、チェーン５は本体部２１の位置にて折れ返された状態で、図１に示すように、チェーン５のループの先端が本体部２１近傍に保持される。これにより、子供などがチェーン５を引っかける事故を防ぐことができる。
【００１９】
リング３１は本体部２１と場合には磁石でくっついているだけなので使用時には引っ張れば簡単にたれ下げ状態とできる。
【００２０】
上記実施形態においては、ロールスクリーン（ロールカーテン）の上昇および下降について、チェーンを操作して手動で行う場合について説明したが、上昇は自動で行うワンタッチチェーン式についても同様に適用可能である。
【００２１】
さらに、上下ではなく、紐を操作することにより、水平方向に遮光部を巻き上げるタイプでも、適用可能である。
【００２２】
本実施形態においては、ピンである場合について説明したが、両面テープなどであってもよい。
【００２３】
また、本体部２１を磁石にくっつく素材として、リング３１を磁石で構成してもよい。重い磁石を用いれば、これが錘として機能する。
【００２４】
本実施形態においては、本体部２１を壁に固定する場合について説明したが、完全固定ではなく、一時的に固定されている場合についても適用可能である。例えば、レール上に位置移動可能に半固定状態としておき、レール上で移動させるようにしてもよい。
【００２５】
本実施形態においては、本体部２１の先端を半球形状としたが、半球形状以外の形状であってもよい。
【００２６】
本実施形態においては、ロールスクリーンについて適用した場合について説明したが、遮光部３を、複数の遮光片で構成したブラインド、すだれなどについても同様に適用可能である。このように、紐で操作軸を回転させることにより遮光部を巻き上げまたは折りたたみ巻き上げし、遮光状態を切り替えるタイプの操作紐駆動式遮光部調整器具であれば適用可能である。
【００２７】
また紐状のチェーンを採用した場合について説明したが、金属または樹脂製など材質は問わない。もし、チェーンを磁石にくっつく素材で構成すればリング３１無しで、同様の効果を得ることもできる。
【００２８】
１・・・・・ロールスクリーン
２・・・・・ロールスクリーン部
３・・・・・生地
４・・・・・操作軸
５・・・・・チェーン
１０・・・・事故防止器具
２１・・・・本体部
３１・・・・リング
２３・・・・磁石部
２５・・・・ピン
【図１】
2016048001.tif 000003
【図２】
2016048001.tif 000004